(57)【要約】【課題】実際に近いやり方で出土品の接合復元作業を繰り返し疑似体験することができる立体パズルを提供する。【解決手段】隣り合うパズル片２２の隣接する各端部に、磁石２３を互いに引き合う向きに配置する。これにより、各パズル片２２を互いの端部で連結させて立体パズルを組み立てることができる。このとき、パズル片２２を保持するための芯材が必要ない。芯材がなければ、使用者はパズルの開始当初に立体パズルの完成形が分からず、パズル片を連結させるにつれて次第に完成形が分かるため、実際に近いやり方で出土品の接合復元作業を疑似体験することができる。【選択図】図５
0003154205.tif 000002
【実用新案登録請求の範囲】
【請求項１】
中空の立体造形物の分割片である複数のパズル片から成り、
隣り合うパズル片の隣接する各端部における、該各端部の境界面を挟んで対応する位置に、磁石が互いに引き合う向きに配置されていることを特徴とする立体パズル。
【請求項２】
前記磁石が前記端部の内部に埋め込まれたものであることを特徴とする請求項１に記載の立体パズル。
【請求項３】
前記立体造形物が出土土器であり、各パズル片が該出土土器の各破片を模したものであることを特徴とする請求項１又は２に記載の立体パズル。
【考案の詳細な説明】
【技術分野】
【０００１】
本考案は、土器等の出土品の接合復元作業を疑似体験することができる立体パズルに関する。
【背景技術】
【０００２】
従来より、破損した状態で出土される土器等の出土品を接合復元する作業を専門家ではない一般の人が疑似体験して楽しむための立体パズルが提案されている。特許文献１には、出土品を模した陶製の焼き物を袋に入れてハンマーで叩き割り、その破片を接着剤でつなぎ合わせて組み立てる立体パズルが記載されている。
【０００３】
特許文献２には一般的な立体パズルとして、磁石から成る芯材に鉄製のパズル片を取り付けるものが記載されている。
【先行技術文献】
【特許文献】
【０００４】
【特許文献１】特開2001-321559号公報
【特許文献２】特開平7-155460号公報
【考案の概要】
【考案が解決しようとする課題】
【０００５】
特許文献１に記載の立体パズルでは、陶製の焼き物の破片を接着剤で接合するため、接合復元作業を一度しか楽しむことができない。
【０００６】
特許文献２に記載の立体パズルでは、芯材の形状からパズルの完成形を容易に推測することができてしまい、面白味に欠ける。特に土器等の出土品の接合復元作業を疑似体験することを想定すると、実際の接合復元作業では出土された破片を少しずつ接合させることにより土器等の形状が次第に分かってくるのに対し、芯材にパズル片を取り付ける作業では芯材の形状によって初めから土器等の形状が分かってしまい、接合復元作業の面白さと完成したときの達成感を味わうことができない。
【０００７】
本考案は上記課題を解決するために成されたものであり、その目的とするところは、実際に近いやり方で出土品の接合復元作業を繰り返し疑似体験することができる立体パズルを提供することにある。
【課題を解決するための手段】
【０００８】
上記課題を解決するために成された本考案に係る立体パズルは、
中空の立体造形物の分割片である複数のパズル片から成り、
隣り合うパズル片の隣接する各端部における、該各端部の境界面を挟んで対応する位置に、磁石が互いに引き合う向きに配置されていることを特徴とする。
【考案の効果】
【０００９】
本考案に係る立体パズルによれば、磁石を用いてパズル片同士を連結させるため、パズル片の着脱を繰り返し行うことができ、出土品の接合復元作業を何度も楽しむことができる。
【００１０】
また、隣り合うパズル片の隣接する各端部に磁石を配置するため、各パズル片を互いの端部で連結させて立体パズルを組み立てることができる。このとき、パズル片を保持するための芯材が必要ない。芯材がなければ、使用者はパズルの開始当初に立体パズルの完成形が分からず、パズル片を連結させるにつれて次第に完成形が分かるため、実際に近いやり方で出土品の接合復元作業を疑似体験することができる。
【００１１】
また、中空の立体造形物として直方体や球体のような単純な形状のものではないものを選び、更に、その分割方法をます目状等の単純なものとしなければ、全パズル片の組み立て方法はほぼ一通りに定まってしまい、各パズル片は形状的に所定の隣接パズル片のみとしか適合しなくなる。本考案ではそれに加えて、隣接パズル片の境界面を挟んで両側の対応する位置に互いに引き合う磁石を配置しているため、正しい隣接パズル片同士を突き合わせたときのみ磁力により両者は引き合い、それらが正しい隣接パズル片同士であることを利用者に感じさせ、「正解」を通知することができ、そうでないパズル片同士を突き合わせたときにはそのような力を感じさせないため、逆に「不正解」を通知することができる。
【図面の簡単な説明】
【００１２】
【図１】本考案の一実施例に係る立体パズルの原型である土器及び雌型の断面図。
【図２】内面にエポキシ層が形成された雌型の断面図。
【図３】一体化したエポキシ層から雌型を取り外した状態を示す断面図。
【図４】本実施例に係る立体パズルの側面図。
【図５】パズル片の平面図(a)及び斜視図(b)。
【考案を実施するための形態】
【００１３】
以下、図面に基づき、本考案に係る立体パズルの一実施例を説明する。
【実施例】
【００１４】
本実施例に係る立体パズルは、実際に発掘された出土土器１０を原型として次のようにして作製されたものである。まず、出土土器１０の表面を錫箔で覆い、その上にシリコーン樹脂を塗布し硬化させてシリコーン樹脂層１２を形成する（図１）。このとき、出土土器１０の細部の形状がシリコーン樹脂層１２に転写される。次に、シリコーン樹脂層１２を保持・強化するため、その上を石膏、FRPなどで覆い、固化して外型１３を形成する。シリコーン樹脂層１２と外型１３をまとめて２つに分割し、錫箔で覆われた出土土器１０から取り外す。取り外された外型１３とシリコーン樹脂層１２は雌型１１を構成する。
【００１５】
次に、図２に示すように各雌型１１の内面にエポキシ樹脂を盛り付けて、パズル部分となるエポキシ層２１を形成する。エポキシ層２１の厚さは出土土器１０と同程度とすることが望ましい。エポキシ層２１を硬化させた後、２つのエポキシ層２１の接合面となる各端面に更にエポキシ樹脂を盛り付け、それらのエポキシ樹脂を互いに押し付けながら雌型１１を合わせ、クランプで締め付ける。この状態で端面に盛り付けたエポキシ樹脂を硬化させ、２つのエポキシ層２１を一体化する。
【００１６】
次に、一体化したエポキシ層２１から雌型１１を取り外す（図３）。このとき、エポキシ層２１の表面には出土土器１０の細部の形状が忠実に転写されている。
【００１７】
次に、エポキシ層２１を糸鋸で切断し、複数のパズル片２２に分割する（図４）。このように立体パズルの完成形を分割してパズル片２２を作製することにより、隣り合うパズル片２２の各隣接部の形状は、実際の出土品の破片のように、互いの隣接部に対応する形状になる。各パズル片２２の切断線は、出土土器１０の割れ目が忠実に再現されるように設定してもよいが、独自に設定してもよい。例えば児童向けの立体パズルでは、パズルの難易度やパズル片２２の扱いやすさ、パズル片２２の紛失防止等を考慮して、各パズル片２２が実際よりも大きく（長さや幅が数cm程度に）なるように切断線を設定することが望ましい。エポキシ層２１の最下部については分割せず、その部分を立体パズル２０の土台として利用してもよい。
【００１８】
次に、パズル片２２の切断面にドリルで穿孔し、そこに磁石２３を挿入する（図５）。このとき、隣り合うパズル片２２の隣接する各端部における、該各端部の境界面を挟んで対応する位置に、一対の磁石２３を互いに引き合う向きに配置する。磁石２３の個数は各端部の形状や大きさ、使用する磁石２３の磁力等に応じて決めればよい。弥生式土器や須恵器のように器厚が比較的薄い土器を模した立体パズルの場合、磁石２３が薄いパズル片２２の中に収まるように、磁石２３には小型であっても強い磁力が得られるもの（例えばネオジム磁石）を用いることが望ましい。
【００１９】
磁石２３はパズル片２２の端部の内部に埋め込み、外部から見えなくすることが望ましい。これにより、パズル片２２が実物の土器の破片のように自然に見え、使用者（特に児童）にとってはパズル片２２が何故結合するのかが分かりにくく、接合復元作業の面白味が増す。磁石２３をパズル片２２の内部に埋め込むためには、例えば磁石２３が挿入された穴をエポキシ樹脂で埋めたり、穴に蓋を被せて磁石２３を覆い隠したりする。更に、各パズル片２２の端面にエポキシ樹脂を付着させて出土土器１０の破断面を表現してもよい。
【００２０】
最後に、パズル片２２の表面をウレタン塗料などで彩色する。彩色の前には各パズル片２２の表面をシンナーで洗浄し、付着している油分等を除去する。更に下地処理として、塗料の密着性を向上させるためのバインダを表面に塗布する。彩色し塗料を乾燥させた後には、つや消しスプレーで表面の調子を整える。
【００２１】
このようにして作製した立体パズル２０は、磁石２３を用いて各パズル片２２を連結させるため、パズル片２２の着脱を繰り返し行うことができ、出土品の接合復元作業を何度も楽しむことができる。また、パズル片２２を保持するための芯材が必要ないため、使用者はパズルの開始当初に出土土器１０の完成形が分からず、パズル片２２を連結させるにつれて次第に完成形が分かる。そのため、実際に近いやり方で出土土器１０の接合復元作業を疑似体験することができる。
【００２２】
本実施例では出土土器１０を原型としたが、土偶等の他の出土品や陶芸品等の美術品などを原型としてもよい。
【符号の説明】
【００２３】
１０…土器
１１…雌型
１２…シリコーン樹脂層
１３…外型
２０…立体パズル
２１…エポキシ層
２２…パズル片
２３…磁石
【図１】
0003154205.tif 000003
【図２】
0003154205.tif 000004
【図３】
0003154205.tif 000005
【図４】
0003154205.tif 000006
【図５】
0003154205.tif 000007